(57)【要約】      （修正有）【課題】石油類等の液体危険物を温度管理して安定状態に保って輸送することができる危険物移送用コンテナを提供すること。【解決手段】内部に石油類などの液体危険物が入れられてなる危険物移送用コンテナ７２であって、コンテナの内部に密閉容器７５に封入されたポリエチレングリコールが配入されてなることを特徴とする危険物移送用コンテナ。【選択図】図２
2004155505.tif 000002
【特許請求の範囲】
【請求項１】
内部に石油類などの液体危険物が入れられてなる危険物移送用コンテナであって、コンテナの内部に密閉容器に封入されたポリエチレングリコールが配入されてなることを特徴とする危険物移送用コンテナ。
【請求項２】
内部に石油類などの液体危険物が入れられてなる危険物移送用コンテナであって、コンテナの外壁に沿って設けられた外層空間にポリエチレングリコールが入れられてなることを特徴とする危険物移送用コンテナ。
【請求項３】
ポリエチレングリコールの凝固温度が５〜７０℃の範囲の任意の温度であることを特徴とする請求項１又は２に記載の危険物移送用コンテナ。 
【発明の詳細な説明】
【技術分野】
【０００１】
本発明は、石油類などの危険物を安定した状態で輸送することが可能な危険物移送用コンテナに関する。
【背景技術】
【０００２】
従来、石油やガソリンなどの液体危険物の輸送に際しては専用のタンクローリー車が使用されることが多いが、最近では持ち運びの簡便さと大量積載によって輸送コストを低減させるために四角柱型の容器が使用されることも多い。
【０００３】
しかしながら、このような危険物を安定した状態で輸送するためには、危険物の温度管理が重要であるが、従来の輸送用容器においては充分な温度管理を行うことができず、また容器の状態で加熱や冷却を行うことも難しかった。
【発明の開示】
【発明が解決しようとする課題】
【０００４】
このような実情に鑑みて、業界では、液体危険物を温度管理して安定状態に保って輸送することができる危険物移送用コンテナの創出が望まれていた。
【課題を解決するための手段】
【０００５】
請求項１に係る発明は、内部に石油類などの液体危険物が入れられてなる危険物移送用コンテナであって、コンテナの内部に密閉容器に封入されたポリエチレングリコールが配入されてなることを特徴とする危険物移送用コンテナに関する。
【０００６】
請求項２に係る発明は、内部に石油類などの液体危険物が入れられてなる危険物移送用コンテナであって、コンテナの外壁に沿って設けられた外層空間にポリエチレングリコールが入れられてなることを特徴とする危険物移送用コンテナに関する。
【０００７】
請求項３に係る発明は、ポリエチレングリコールの凝固温度が５〜７０℃の範囲の任意の温度であることを特徴とする請求項１又は２に記載の危険物移送用コンテナに関する。 
【発明の効果】
【０００８】
請求項１及び２に係る発明によれば、石油やガソリンなどの液体危険物の温度保持や加熱、冷却が容易であり、安定した状態で液体危険物を輸送することが可能な危険物移送用コンテナを得ることができる。
【０００９】
請求項３に係る発明によれば、ポリエチレングリコールの凝固温度を用途に応じて設定することにより優れた危険物移送用コンテナを得ることができる。
【発明を実施するための最良の形態】
【００１０】
以下、本発明に係る危険物移送用コンテナの好適な実施形態について、図面を参照しつつ説明する。
図１乃至図３は、本発明に係る危険物移送用コンテナを示す概略断面図である。
本発明は、内部に危険物が入れられた危険物移送用コンテナ（７２）であり、図１示の例では、コンテナ（７２）の外壁に沿ってポリエチレングリコールが入れられた外層空間（７３）が設けられている。
また、ポリエチレングリコールが入った外層空間（７３）の更に外側には断熱材層（７４）が設けられている。外層空間（７３）の容量については限定されず、図示例よりも大きくしてもよいし小さくしてもよく、コンテナ（７２）内に入れられる危険物の種類によって適宜設定される。
【００１１】
図２示の例では、コンテナ（７２）の外壁に沿って断熱材層（７４）が設けられ、コンテナ（７２）の内部には密閉容器（７５）に封入されたポリエチレングリコールが配入される。
尚、図示例においては密閉容器（７５）を袋体としたが、密閉容器についてはその形状、容量は全く限定されず、ポリプロピレンフィルム、ポリ塩化ビニルフィルム等の密封可能な袋体や市販のポリタンクや飲料用のＰＥＴ（ポリエチレンテレフタレート）製容器などを密封して使用すれば全て好適に使用可能である。
【００１２】
また、図３示の例においては、コンテナ（７２）の外壁に沿って断熱材層（７４）が設けられ、コンテナ（７２）の内部に配入される密閉容器（７５）はＳＵＳ製の円筒状蓄熱剤タンクとされている。尚、図中（７６）はヒーター線である。
図２及び図３示の如く、コンテナ内部に密閉容器に封入されたポリエチレングリコールを配入する構成を採用することにより、コンテナの大きさや危険物の種類によってポリエチレングリコールの量を調整することが容易である。
【００１３】
コンテナ（７２）内には、石油やガソリンなどの液体危険物が入れられる。
なお、図１乃至図３に示したコンテナ（７２）は概略図であるため、蓋体や取出口などについては省略してある。コンテナ（７２）の大きさ、形状については図示例に限定されないが、材質としてはＳＵＳ等が好適に使用される。
【００１４】
外層空間（７３）又は密閉容器（７５）内に入れられるポリエチレングリコールの凝固温度は、５〜３０℃の範囲の任意の温度に設定されるが、コンテナ（７２）内に入れられる危険物の種類によって適宜設定され、設定はポリエチレングリコールの重合度を変えることによって行われ、凝固温度を３０℃に設定する場合は重合度ｎ（詳しくは後述する）を１８〜１９に設定する。
【００１５】
ポリエチレングリコールは水の約３５倍（分子量５００前後のとき）という高い蓄熱能力を有するため、水に比べて大きな蓄熱効果を得ることができる。
すなわち、ポリエチレングリコールの融解熱は、例えば重合度ｎが１３〜１４のとき３５ｃａｌ／ｇ、ｎが８〜９のとき３６ｃａｌ／ｇであって水の１ｃａｌ／ｇと比較して約３５倍であり、これにより水の約３５倍という高い蓄熱能力を有することとなる。
【００１６】
また、重合度ｎを変えることにより自由に凝固温度を設定できるという水では得られない性質を有することもポリエチレングリコールが好適に使用できる理由であり、例えば、上記したｎが１３〜１４のとき凝固温度（融点）は２３℃、ｎが８〜９のとき凝固温度は４〜８℃となる。
他の理由としては、ポリエチレングリコールは、臭気や揮発性が無く比重も水と同程度であり引火点も高いため扱い易いことも挙げられる。
【００１７】
ポリエチレングリコールの凝固温度は５〜７０℃の範囲の任意の温度に設定される。
この凝固温度は次式１（化１）で表されるポリエチレングリコールの重合度ｎを調整することにより設定される。
【００１８】
（化１）
ＨＯ（ＣＨ２ＣＨ２Ｏ）ｎＨ
ちなみに、例えば凝固温度を７０℃に設定する場合はｎを６９〜７０に、５℃に設定する場合はｎを８〜９とすればよい。
【産業上の利用可能性】
【００１９】
本発明は、石油類等の危険物を安定した状態で輸送するための危険物輸送用コンテナとして好適に用いられる。
【図面の簡単な説明】
【００２０】
【図１】本発明に係る危険物移送用コンテナを示す概略断面図である。
【図２】本発明に係る危険物移送用コンテナの別の例を示す概略断面図である。
【図３】本発明に係る危険物移送用コンテナの更に別の例を示す概略断面図である。
【符号の説明】
【００２１】
７２      危険物移送用コンテナ
７３      ポリエチレングリコールが入れられた外層空間
７４      断熱材層
７５      密閉容器
７６      ヒーター線
【図１】
2004155505.tif 000003
【図２】
2004155505.tif 000004
【図３】
2004155505.tif 000005